(57)【要約】      （修正有）【課題】二枚の舌板を備える複合式コネクターを提供する。【解決手段】二枚の舌板を備える複合式コネクター１００は第一、二ドッキングコネクターを抜き差しでき、絶縁本体１、第一舌板１１、第二舌板１２、多数の第一、二、三列端子３、４、５を備え、第一舌板１１と第二舌板１２はともに絶縁本体１に連接し、各第一列端子３と各第二列端子４はそれぞれ第一舌板１１の両面に設置され、第一ドッキングコネクターを導接し、各第三列端子５は第二舌板１２の任意の面に設置され、第二ドッキングコネクターを導接し、２種のインターフェースを同一コネクターに統合することで、複合式使用の目的を達成する。【選択図】図２
0003211616.tif 000002
【実用新案登録請求の範囲】
【請求項１】
二枚の舌板を備える複合式コネクターは、第一ドッキングコネクターと第二ドッキングコネクターの抜き差しに用いられ、
該複合式コネクターは、絶縁本体、第一舌板、第二舌板、多数の第一列端子、多数の第二列端子、多数の第三列端子を備え、
該第一舌板と該第二舌板はともに、該絶縁本体に連接し、
該多数の第一列端子は、該第一舌板の一面に設置され、
該多数の第二列端子は、該第一舌板の該一面に相対するもう一つの面に設置され、該多数の第一列端子と該多数の第二列端子には、該第一ドッキングコネクターを導接し、
該多数の第三列端子は、該第二舌板の相対する二面の内の一面に設置され、該多数の第三列端子には、該第二ドッキングコネクターを導接することを特徴とする二枚の舌板を備える複合式コネクター。
【請求項２】
前記第一舌板と該第二舌板はともに、該絶縁本体の同一面に連接され、同一方向へと伸び、しかも該第一舌板と該第二舌板は相互に間隔を開けて重なることを特徴とする請求項１に記載の二枚の舌板を備える複合式コネクター。
【請求項３】
前記複合式コネクターは、金属外殼をさらに備え、
該金属外殼は、接続口を備え、しかも該絶縁本体、該第一舌板、該第二舌板を包み、
該第一舌板と該第二舌板はともに、該接続口方向へと伸びることを特徴とする請求項１に記載の二枚の舌板を備える複合式コネクター。
【請求項４】
前記金属外殼と該第二舌板の一面の隣り合う一箇所には、全体破口を開設することを特徴とする請求項３に記載の二枚の舌板を備える複合式コネクター。
【請求項５】
前記多数の第一列端子と該多数の第二列端子の一段はともに、該絶縁本体に定位され、
該多数の第一列端子と該多数の第二列端子のもう一つの段は、該第一舌板の該一面と該もう一つの面にそれぞれ設置されることを特徴とする請求項１に記載の二枚の舌板を備える複合式コネクター。
【請求項６】
前記多数の第三列端子の一段は、該第二舌板の後段に定位され、
該多数の第三列端子のもう一つの段は、該第二舌板の前段の該一面に設置されることを特徴とする請求項１に記載の二枚の舌板を備える複合式コネクター。
【請求項７】
前記第一舌板、及び該第一舌板に設置される該多数の第一列端子と該多数の第二列端子は、ＵＳＢ  Ｔｙｐｅ-Ｃ規格に符合することを特徴とする請求項１に記載の二枚の舌板を備える複合式コネクター。
【請求項８】
前記第二舌板、及び該第二舌板に設置される該多数の第三列端子は、Ｍｉｃｒｏ  ＵＳＢ規格に符合することを特徴とする請求項１に記載の二枚の舌板を備える複合式コネクター。
【考案の詳細な説明】
【技術分野】
【０００１】
本考案はエレクトリックコネクターに関し、特に二枚の舌板を備える複合式コネクターに関する。
【背景技術】
【０００２】
ＵＳＢ（Ｕｎｉｖｅｒｓａｌ  Ｓｅｒｉａｌ  Ｂｕｓ）コネクターの連接インターフェースは、Ｔｙｐｅ-Ａインターフェースから、すでに最新設計のＴｙｐｅ-Ｃインターフェースに発展している。
Ｔｙｐｅ-Ｃインターフェースの特徴は、方向性がなく、正挿入或いは反挿入できる他、１０Ｇｂｐｓに達する最大伝送速度を提供でき、容量の大きなファイルを伝送する際に速く送ることができ、伝送時間を効果的に短縮できる。
【０００３】
しかし、最新のＴｙｐｅ-Ｃインターフェースは、既存の任意のタイプのＵＳＢコネクターと互換性がなく、ＵＳＢ  Ｔｙｐｅ-Ｃコネクターを使用する際には、回路基板上にＵＳＢ  Ｔｙｐｅ-Ｃコネクターを溶接する位置を別に空けなければならないため、普及が進んでいない。
【０００４】
さらに、ＵＳＢ  Ｔｙｐｅ-Ｃインターフェースは、もともとは現在ポータブル電子製品（例えば携帯電話或いはタブレットコンピューター等）に使用されているＭｉｃｒｏ  ＵＳＢインターフェースに置換するものとして設定されていたが、前述の原因により普及が遅れている。
これにより、現在市販され、ＵＳＢ  Ｔｙｐｅ-Ｃインターフェースを使用する外付けデバイスと、Ｍｉｃｒｏ  ＵＳＢインターフェースを使用する外付けデバイスは、同一電子製品（例えばコンピューター、携帯電話或いはタブレットコンピューター等）に使用することができない。
【先行技術文献】
【特許文献】
【０００５】
【特許文献１】特開2017-068945号公報
【考案の概要】
【考案が解決しようとする課題】
【０００６】
前記先行技術には以下の欠点がある。
最新のＴｙｐｅ-Ｃインターフェースは、既存の任意のタイプのＵＳＢコネクターと互換性がなく、ＵＳＢ  Ｔｙｐｅ-Ｃコネクターを使用する際には、回路基板上にＵＳＢ  Ｔｙｐｅ-Ｃコネクターを溶接する位置を別に空けなければならないため、普及が進まない。
さらに、現在市販され、ＵＳＢ  Ｔｙｐｅ-Ｃインターフェースを使用する外付けデバイスと、Ｍｉｃｒｏ  ＵＳＢインターフェースを使用する外付けデバイスは、同一電子製品（例えばコンピューター、携帯電話或いはタブレットコンピューター等）に使用することができない。
【課題を解決するための手段】
【０００７】
本考案の目的は、第一ドッキングコネクター（ＵＳＢ  Ｔｙｐｅ-Ｃドッキングコネクター）に対応する第一舌板、及び第二ドッキングコネクター（Ｍｉｃｒｏ  ＵＳＢドッキングコネクター）に対応する第二舌板を備え、こうして２種のインターフェース（ＵＳＢ  Ｔｙｐｅ-ＣインターフェースとＭｉｃｒｏ  ＵＳＢインターフェース）を、同一コネクターに統合し、複合式使用の目的を達成する二枚の舌板を備える複合式コネクターを提供することである。
【０００８】
本考案による複合式コネクター，第一ドッキングコネクターと第二ドッキングコネクターの抜き差しに用いられ、該複合式コネクターは、絶縁本体、第一舌板、第二舌板、多数の第一列端子、多数の第二列端子、多数の第三列端子を備え、
該第一舌板と該第二舌板はともに、該絶縁本体に連接し、
該多数の第一列端子は、該第一舌板の一面に設置され、
該多数の第二列端子は、該第一舌板の該一面に相対するもう一つの面に設置され、該多数の第一列端子と該多数の第二列端子には、該第一ドッキングコネクターを導接し、
該多数の第三列端子は、該第二舌板の相対する二面の内の一面に設置され、該多数の第三列端子には、該第二ドッキングコネクターを導接する。
【考案の効果】
【０００９】
本考案の二枚の舌板を備える複合式コネクターは、２種のインターフェース（ＵＳＢ  Ｔｙｐｅ-ＣインターフェースとＭｉｃｒｏ  ＵＳＢインターフェース）を、同一コネクターに統合し、複合式使用の目的を達成することができる。
【図面の簡単な説明】
【００１０】
【図１】本考案による複合式コネクターの立体模式図である。
【図２】本考案による複合式コネクターのもう一つの立体模式図である。
【図３】本考案による複合式コネクターの断面図である。
【図４】本考案による複合式コネクターのもう一つの断面図である。
【図５】本考案による複合式コネクターをＵＳＢ  Ｔｙｐｅ-Ｃドッキングコネクターに接続した時の模式図である。
【図６】本考案による複合式コネクターをＭｉｃｒｏ  ＵＳＢドッキングコネクターに接続した時の模式図である。
【考案を実施するための形態】
【００１１】
（実施例）
図１〜図２０に示すように、本考案による二枚の舌板を備える複合式コネクターは、二枚の舌板設計を利用し、第一ドッキングコネクター７００はホットスワップで抜き差しでき、第二ドッキングコネクター８００はホットスワップで抜き差しでき、こうして複合式使用の目的を達成する。
【００１２】
図１〜図４に示すように、本考案による複合式コネクター１００は、絶縁本体１、第一舌板１１、第二舌板１２、多数の第一列端子３、多数の第二列端子４及び多数の第三列端子５を備え、好ましくはさらに金属外殼２を備える。
【００１３】
該第一舌板１１と該第二舌板１２はともに、絶縁本体１に連接する。
【００１４】
舌板の連接方式について、本考案は限定しないが、本実施例中では後述の方式を例として説明する。
【００１５】
第一舌板１１と第二舌板１２は相互に間隔を開けて重なる方式で、絶縁本体１の同一面（例えば図示の内端面）に連接し、同一方向（例えば図示の該内端面から離れる方向）へと伸びる。
【００１６】
各第一列端子３は、第一舌板１１の一面（例えば図示の頂面）に設置される。
【００１７】
各第二列端子４は、第一舌板１１の該一面に相対するもう一つの面（例えば図示の底面）に設置される。
【００１８】
各第三列端子５は、第二舌板１２の相対する二面の内の一面（例えば図示の頂面）に設置される。
【００１９】
第一、二、三列端子３、４、５の具体的な固定方式について、本考案は限定しないが、本実施例では後述方式を例として説明する。
【００２０】
各第一列端子３と各第二列端子４の一段（例えば図示の後段）はともに、絶縁本体１に定位される。
【００２１】
各第一列端子３と各第二列端子４のもう一つの段（例えば図示の前段）は、第一舌板１１の頂面と底面にそれぞれ設置される。
【００２２】
各第三列端子５の一段（例えば図示の後段）は、第二舌板１２の後段に定位され、各第三列端子５のもう一つの段（例えば図示の前段）は、第二舌板１２の前段の頂面に設置される。
【００２３】
各第一、二、三列端子３、４、５の後段の端部はすべて露出し、溶接等の電気的連接に便利である。
【００２４】
これにより、各第一列端子３と各第二列端子４には、該第一ドッキングコネクター７００を導接でき（図５参照）、各第三列端子５には、該第二ドッキングコネクター８００を導接できる（図６参照）。
【００２５】
第一舌板１１及び第一舌板１１に設置される各第一列端子３と各第二列端子４は、ＵＳＢ  Ｔｙｐｅ-Ｃ規格に符合する。
【００２６】
第二舌板１２及び第二舌板１２に設置する各第三列端子５は、Ｍｉｃｒｏ  ＵＳＢ規格に符合する。
【００２７】
各第一列端子３と各第二列端子４の数量は、それぞれ１２本で、ＵＳＢ  Ｔｙｐｅ-Ｃ規格に対応し、該第一ドッキングコネクター７００は、ＵＳＢ  Ｔｙｐｅ-Ｃドッキングコネクターである。
【００２８】
各第三列端子５の数量は５本で、Ｍｉｃｒｏ  ＵＳＢ規格に対応する。
【００２９】
該第二ドッキングコネクター８００は、Ｍｉｃｒｏ  ＵＳＢドッキングコネクターである。
【００３０】
図５と図６に示すように、本考案による複合式コネクター１００は、第一舌板１１を利用し、第一ドッキングコネクター７００（ＵＳＢ  Ｔｙｐｅ-Ｃドッキングコネクター、図５参照）を抜き差しでき、第二舌板１２を利用し、第二ドッキングコネクター８００（Ｍｉｃｒｏ  ＵＳＢドッキングコネクター、図６参照）を抜き差しできる。
【００３１】
しかも、複合式コネクター１００の各第一、二、三列端子３、４、５の後段の端部は、回路基板９００に電気的連接する。
【００３２】
第一ドッキングコネクター７００の２４個の第一ドッキング端子７は、各第一列端子３及び各第二列端子４と導接される。
【００３３】
これにより、第一ドッキングコネクター７００は、複合式コネクター１００に電気的に連接される。
【００３４】
第二ドッキングコネクター８００の５個の第二ドッキング端子８は、各第三列端子５と導接し、これにより第二ドッキングコネクター８００は、複合式コネクター１００に電気的に連接される。
【００３５】
こうして、第一、二ドッキングコネクター７００、８００を使用する外付けデバイス（例えば、ポータブルディスク或いはパワーバンク等）は、回路基板９００と電気的に連接し、こうして相互にデータを伝達し、或いは電源を伝送することができる。
【００３６】
図１〜図６に示すように、本考案による複合式コネクター１００は、金属外殼２をさらに備える。
【００３７】
金属外殼２は、前述の絶縁本体１、第一舌板１１と第二舌板１２を包み、包んだ後に接続口（符合なし）を形成し、第一舌板１１と第二舌板１２はともに、接続口方向へと伸びる。
【００３８】
金属外殼２は、絶縁本体１に固定されるが、第一舌板１１と第二舌板１２に接触しない。
【００３９】
本考案による複合式コネクター１００の全体的高さを低くするため、金属外殼２（符合なしの多数の殼板）の高さを低くする。
【００４０】
本実施例中では、金属外殼２と第二舌板１２の頂面の相互に隣り合う一箇所に全体破口２１を開設し、しかもこの全体破口２１の開設は、金属外殼２の多数の殼板中の底殼板（符合なし）の除去に相当する。
【００４１】
こうして、金属外殼２の高さを低くでき、よって本考案による複合式コネクター１００の全体的高さを低くし、昨今のコンパクト化への設計要求に応えることができ、絶縁本体１の高さを低くすることもできる。
【００４２】
本実施例中では、第一舌板１１と第二舌板１２との間の間隔距離を縮小する。
【００４３】
縮小の幅は、第一、二ドッキングコネクター７００、８００をそれぞれ抜き差しできる程度である（図５、図６参照）。
【００４４】
こうして、対応して絶縁本体１の高さを低下させられるため、本考案による複合式コネクター１００の全体的高さをさらに低くすることができる。
【００４５】
上記を総合すると、本考案は従来の技術に比べ、以下の効果を備える。
第一ドッキングコネクター７００（ＵＳＢ  Ｔｙｐｅ-Ｃドッキングコネクター）に対応する第一舌板１１及び第二ドッキングコネクター８００（Ｍｉｃｒｏ  ＵＳＢドッキングコネクター）に対応する第二舌板１２を備えるため、２種のインターフェース（ＵＳＢ  Ｔｙｐｅ-ＣインターフェースとＭｉｃｒｏ  ＵＳＢインターフェース）を、同一コネクターに統合し、複合式使用の目的を達成する。
【００４６】
本考案はさらに、金属外殼２に全体破口２１を開設（或いは第一、二舌板１１、１２間の間隔距離をさらに縮小）することで、本考案による複合式コネクター１００の全体的高さを低下させられるため、コンパクト化への設計要求に適している。
【産業上の利用可能性】
【００４７】
本考案は特許登録の要件である新規性を備え、従来の同類製品に比べ十分な進歩を有し、実用性が高く、社会のニーズに合致しており、産業上の利用価値は非常に大きい。
【符号の説明】
【００４８】
１００  複合式コネクター
１  絶縁本体
１１  第一舌板
１２  第二舌板
２  金属外殼
２１  全体破口
３  第一列端子
４  第二列端子
５  第三列端子
７００  ＵＳＢ  Ｔｙｐｅ-Ｃドッキングコネクター
７  第一ドッキング端子
８００  Ｍｉｃｒｏ  ＵＳＢドッキングコネクター
８  第二ドッキング端子
９００  回路基板
【図１】
0003211616.tif 000003
【図２】
0003211616.tif 000004
【図３】
0003211616.tif 000005
【図４】
0003211616.tif 000006
【図５】
0003211616.tif 000007
【図６】
0003211616.tif 000008